(57)【要約】  車両接近通報音スピーカ装置は、電気信号を導通するボイスコイルと、該ボイスコイルが巻かれる筒状のボイスコイルボビンと、絶縁性のシートと、キャップと、を備え、前記シートが、前記ボイスコイルボビン上の前記ボイスコイルよりも音放射側の位置に巻かれ、前記キャップが、前記ボイスコイルボビンより音放射側に備えられ、前記ボイスコイルボビン及び前記キャップがアルミニウムを含む材料から形成され、前記シートがアラミドを用いた不織布を含んで形成されている。
2015145777.tif 000002
【特許請求の範囲】
【請求項１】
電気信号を導通するボイスコイルと、該ボイスコイルが巻かれる筒状のボイスコイルボビンと、絶縁性のシートと、キャップと、を備え、
前記シートが、前記ボイスコイルボビン上の前記ボイスコイルよりも音放射側の位置に巻かれ、
前記キャップが、前記ボイスコイルボビンより音放射側に備えられ、
前記ボイスコイルボビン及び前記キャップがアルミニウムを含む材料から形成され、
前記シートがアラミドを用いた不織布を含んで形成されることを特徴とする車両接近通報音スピーカ装置。
【請求項２】
前記ボイスコイルが、ポリアミドイミド又はポリイミドにより被覆した被覆線から成ることを特徴とする請求項１に記載の車両接近通報音スピーカ装置。
【請求項３】
前記キャップの厚さが、前記ボイスコイルボビンと同じ、又は、前記ボイスコイルボビンよりも薄く形成されていることを特徴とする請求項１に記載の車両接近通報音スピーカ装置。
【請求項４】
前記ボイスコイルボビンの厚さが５０μｍ〜８０μｍであることを特徴とする請求項３に記載の車両接近通報音スピーカ装置。
【請求項５】
前記キャップの厚さが３０μｍ〜５０μｍであることを特徴とする請求項３に記載の車両接近通報音スピーカ装置。
【請求項６】
前記シートには、ダンパが環状に接着されていることを特徴とする請求項１に記載の車両接近通報音スピーカ装置。
【請求項７】
前記ボイスコイルが錦糸線と接続され、
前記錦糸線が、前記ボイスコイルボビン上の、前記ダンパよりも音放射側の位置から音放射側かつ前記ダンパの外縁部側に向かって導出され、音放射側の屈曲点において音放射側とは反対側に向かって屈曲され、
前記錦糸線が、前記ダンパの外縁部側に接続されていることを特徴とする請求項６に記載の車両接近通報音スピーカ装置。
【請求項８】
前記錦糸線が、前記屈曲点を通って音放射方向に沿う線に対して略線対称に設けられていることを特徴とする請求項７に記載の車両接近通報音スピーカ装置。
【請求項９】
前記シートと前記ダンパとの接着が接着剤を用いてなされ、
前記接着剤が、アクリル樹脂、シリコーン樹脂、及びエポキシ樹脂からなる群より選択される一種以上の材料を含んで構成されることを特徴とする請求項６に記載の車両接近通報音スピーカ装置。
【請求項１０】
音を発する振動板を備え、
前記振動板が前記シートに接着されていることを特徴とする請求項１に記載の車両接近通報音スピーカ装置。
【請求項１１】
前記シートと前記振動板との接着が接着剤を用いてなされ、
前記ボイスコイルボビンには、前記振動板よりも音放射側とは反対側の位置に、環状部材が接続されていることを特徴とする請求項１０に記載の車両接近通報音スピーカ装置。
【発明の詳細な説明】
【技術分野】
【０００１】
本発明は、車両接近通報音スピーカ装置に関する。
【背景技術】
【０００２】
ハイブリッド車や電気自動車は走行時の静音性が高く、このような自動車が歩行者等の通行者に接近しても、通行者が接近に気付かないことがある。そこで、通行者に対してハイブリッド車等の接近を知らせる通報音を発するため、ハイブリッド車等に搭載される車両接近通報音スピーカ装置が種々提案されている。これらの車両接近通報音スピーカ装置の仕様は各製造業者が独自に定めており、例えば、耐熱性や耐環境性について統一された規格に基づいて設計されたものではなかった。【０００３】
ところで、近年、車両接近通報音スピーカ装置の装着方法や仕様が法制化される動向がある。また、ハイブリッド車等のエンジンやモータの近傍に搭載されることから、車両接近通報音スピーカ装置には、周波数ごとに再生音圧、耐熱性、耐湿性、耐水性等の耐環境性が求められている。【０００４】
そこで、本発明が解決しようとする課題としては、再生音圧が高く、かつ、耐熱性や耐湿性、耐水性などの耐環境性を向上させるという課題が一例として挙げられる。
【発明の概要】
【課題を解決するための手段】
【０００５】
請求項１に記載の車両接近通報音スピーカ装置は、電気信号を導通するボイスコイルと、該ボイスコイルが巻かれる筒状のボイスコイルボビンと、絶縁性のシートと、キャップと、を備え、前記シートが、前記ボイスコイルボビン上の前記ボイスコイルよりも音放射側の位置に巻かれ、前記キャップが、前記ボイスコイルボビンより音放射側に備えられ、前記ボイスコイルボビン及び前記キャップがアルミニウムを含む材料から形成され、前記シートがアラミドを用いた不織布を含んで形成されることを特徴とする。
【図面の簡単な説明】
【０００６】
【図１】本発明の第１の実施例にかかる車両接近通報音スピーカ装置の一部を切り取って断面を示す斜視図である。
【図２】図１に示された車両接近通報音スピーカ装置の反対側を示す斜視図である。
【図３】図１に示された車両接近通報音スピーカ装置の矢視ＩＩＩ−ＩＩＩ線断面を模式的に示す図である。
【図４】図１に示された車両接近通報音スピーカ装置の矢視ＩＩＩ−ＩＩＩ線断面の要部を模式的に示す図である。
【図５】本発明の第２の実施例にかかる車両接近音スピーカ装置の要部を模式的に示す図である。
【発明を実施するための形態】
【０００７】
本発明の一実施形態にかかる車両接近通報音スピーカ装置について説明する。本発明の一実施形態にかかる車両接近通報音スピーカ装置は、電気信号を導通するボイスコイルと、該ボイスコイルが巻かれる筒状のボイスコイルボビンと、絶縁性のシートと、キャップと、を備え、前記シートが、前記ボイスコイルボビン上の前記ボイスコイルよりも音放射側の位置に巻かれ、前記キャップが、前記ボイスコイルボビンより音放射側に備えられ、前記ボイスコイルボビン及び前記キャップがアルミニウムを含む材料から形成され、前記シートがアラミドを用いた不織布を含んで形成されている。
【０００８】
前記ボイスコイルボビン及び前記キャップがアルミニウムを含む材料から形成されていることから、放熱性が良好になり、耐熱性を向上させることができる。また、軽量であることから高い再生音圧を実現することができる。
【０００９】
また、前記ボイスコイルが、ポリアミドイミド又はポリイミドにより被覆した被覆線から成ることが好ましい。このような構成にすることにより、耐熱性を向上させることができる。
【００１０】
また、前記キャップの厚さが、前記ボイスコイルボビンと同じ、又は、前記ボイスコイルボビンよりも薄く形成されていることが好ましい。このような構成にすることにより、車両接近通報音スピーカ装置をより軽量にすることができることから、再生音圧を高くすることができる。
【００１１】
また、前記ボイスコイルボビンの厚さを５０μｍ〜８０μｍとしてもよい。ボイスコイルボビンは薄い方が好ましいが５０μｍ未満では当該ボイスコイルボビンが高温になった場合に元の形状を保つのが難しい。一方では、８０μｍを超えると重量が大きくなり所望の周波数特性を得ることができない。
【００１２】
また、キャップの厚さを３０μｍ〜５０μｍとしてもよい。キャップは薄い方が好ましいが３０μｍ未満では当該キャップの強度を保つのが難しい。一方では、５０μｍを超えると重量が大きくなり所望の周波数特性を得ることができない。
【００１３】
また、前記シートには、ダンパが環状に接着されていることが好ましい。このような構成にすることにより、アルミニウムを含む前記ボイスコイルボビンにダンパを直接接着させるよりも接着性を高めることができ、耐環境性を向上させることができる。
【００１４】
また、前記ボイスコイルが錦糸線と接続され、前記錦糸線が、前記ボイスコイルボビン上の、前記ダンパよりも音放射側の位置から音放射側かつ前記ダンパの外縁部側に向かって導出され、音放射側の屈曲点において音放射側とは反対側に向かって屈曲され、前記錦糸線の端部が、前記ダンパの外縁部側に接続されていることが好ましい。
【００１５】
このような構成にすることにより、錦糸線がダンパの上方の空中に配線される長さが短くなる。その結果、ボイスコイルの振動時に錦糸線に加えられる力が小さくなり、錦糸線とボイスコイルボビンの接続部等に加わる力が小さくなる。その結果、錦糸線とボイスコイルの接続部に塗布している補強部材（変性ポリアミド等）の量を少なく出来るか、塗布をしないようにすることが出来る。
【００１６】
また、前記錦糸線が、前記屈曲点を通って音放射方向に沿う線に対して略線対称に設けられていることが好ましい。
【００１７】
このような構成にすることにより、例えば錦糸線がボイスコイルボビンの振動と共振して当該錦糸線に過度な力が加わること等によるボイスコイルボビンと錦糸線の接続部の破損を抑制することができ、耐環境性を向上させることができる。
【００１８】
また、前記シートと前記ダンパとの接着が接着剤を用いてなされ、前記接着剤が、アクリル樹脂、シリコーン樹脂、及びエポキシ樹脂からなる群より選択される一種以上の材料を含んで構成されるものを用いることができる。
【００１９】
また、音を発する振動板を備え、前記振動板が前記シートに接着されていることが好ましい。このような構成にすることにより、前記ボイスコイルボビンと前記振動板とがアラミドを用いた不織布を含んで形成された前記シートを介して接着され、アルミニウムを含む前記ボイスコイルボビンに振動板を直接接着させるよりも接着性を高めることができ、耐衝撃性を向上させることができる。
【００２０】
また、前記シートと前記振動板との接着が接着剤を用いてなされ、前記ボイスコイルボビンには、前記振動板よりも音放射側とは反対側の位置に、環状部材が接続されていることが好ましい。
【００２１】
このような構成にすることにより、振動板を接着する接着剤が環状部材にせき止められて接着位置以外の場所に広がり難くなり、接着剤を使用する量を減らすことができる。このことから、車両接近通報音スピーカ装置を軽くすることができ、再生音圧を高くすることができる。
【実施例】
【００２２】
次に、本発明の車両接近通報音スピーカ装置の実施例について、図１〜図５を参照して説明する。【００２３】
（第１の実施例）
本発明の第１の実施例にかかる車両接近通報音スピーカ装置１００について、図１〜４を参照して説明する。実施例１の車両接近通報音スピーカ装置１００は、例えば、ハイブリッド車に搭載される車両接近通報音スピーカ装置に適用されるものである。図１は車両接近通報音スピーカ装置１００の一部を切り取って示す斜視図、図２は図１に示された車両接近通報音スピーカ装置１００の反対側の面を示す斜視図である。なお、図１において音を放射する方向は矢印Ａ方向である。また、図３〜５に示す矢印Ｂ方向を車両接近通報音スピーカ装置１００の外方とする。また、本実施例１の車両接近通報音スピーカ装置１はハイブリッド車に限定されず、電気自動車等に搭載されてもよい。【００２４】
まず、車両接近通報音スピーカ装置１００の構成について説明する。車両接近通報音スピーカ装置１００は、電気信号を導通するボイスコイル１０１と、ボイスコイルが巻かれる筒状のボイスコイルボビン１０２と、絶縁性のシート１０３と、音を発する振動板１０４と、キャップ１０５と、ダンパ１０６と、錦糸線１０７と、環状部材１０８と、を備えている。【００２５】
ボイスコイルボビン１０２及びキャップ１０５は、アルミニウムを用いて形成されている。キャップ１０５は、振動板１０４に接続されている。なお、キャップ１０５はボイスコイルボビン１０２の音放射側の端部に接続されていてもよい。【００２６】
前記ボイスコイルボビン及び前記キャップがアルミニウムを用いて形成されていることから、放熱性が良好になり、耐熱性を向上させることができる。また、軽量であることから、高い再生音圧を実現することができる。【００２７】
シート１０３は、アラミドの不織布を用いて形成され、ボイスコイルボビン１０２上のボイスコイル１０１よりも音放射側（矢印Ａ方向）の位置に巻かれている。また、振動板１０４及びダンパ１０６は、シート１０３に環状に接着され、振動板１０４は、ダンパ１０６よりも音放射側に設けられている。なお、振動板１０４及びダンパ１０６は、ボイスコイルボビン１０２に接着されていてもよい。【００２８】
振動板１０４がシート１０３に環状に接着されていることにより、アルミニウムを用いて形成されたボイスコイルボビン１０２に振動板を直接接着させるよりも接着性を高めることができる。このことから、車両接近通報音スピーカ装置１００の耐環境性を向上させることができる。【００２９】
また、ダンパ１０６がシート１０３に環状に接着されていることにより、アルミニウムを用いて形成されたボイスコイルボビン１０２にダンパ１０６を直接接着させるよりも接着性を高めることができる。このことから、車両接近通報音スピーカ装置１００の耐環境性を向上させることができる。【００３０】
また、ボイスコイル１０１は、ポリアミドイミドを用いて被覆された被覆線から構成されている。このような構成にすることにより、耐熱性を向上させることができる。また、被覆線の被覆はポリアミドイミドに限定されず、例えば、ポリイミドを用いることができる。【００３１】
また、キャップ１０５の厚さは、ボイスコイルボビン１０２よりも薄く形成されている。本実施例１においては、ボイスコイルボビン１０２は５０μｍのアルミニウム板を用いて形成され、キャップ１０５は３０μｍのアルミニウム板を用いて形成されている。このような構成にすることにより、車両接近通報音スピーカ装置１００をより軽量にすることができることから、再生音圧を高くすることができる。【００３２】
なお、ボイスコイルボビン１０２及びキャップ１０５の厚さはそれぞれ５０μｍ及び３０μｍに限定されない。ボイスコイルボビン１０２の厚さは、厚さを５０μｍ〜８０μｍとしてもよく、キャップ１０５の厚さは３０μｍ〜５０μｍとしてもよい。【００３３】
また、ボイスコイルボビン１０２及びキャップ１０５の材料として、例えば３０μｍ、５０μｍ、８０μｍの厚さを有するアルミニウム板の規格品を用いることができる。アルミニウム板の規格品を用いることにより、製造コストを削減することができる。【００３４】
また、図３に示すように、錦糸線１０７はボイスコイル１０１のリード線１１０と接続され、ボイスコイルボビン１０２上において、ダンパ１０６よりも音放射側の位置から音放射側（矢印Ａ方向）かつダンパ１０６の外縁部１６１側（矢印Ｂ方向）に向かって導出されている。さらに、音放射側の屈曲点１７１において、音放射側とは反対側に向かって屈曲されて、音放射側とは反対側かつ外縁部１６１側に延びている。さらに、錦糸線１０７は接続点１７２においてダンパ１０６の外縁部１６１側に接続されている。【００３５】
このような構成にすることにより、錦糸線１０７がダンパ１０６の上方の空中に配線される長さが短くなる。その結果、ボイスコイルボビン１０２の振動時に錦糸線１０７に加えられる力が小さくなり、錦糸線１０７とボイスコイルボビン１０２の接続部等に加わる力が小さくなる。その結果、錦糸線１０７とボイスコイル１０１の接続部に塗布している補強部材（変性ポリアミド等）の量を少なく出来るか、塗布をしないようにすることが出来、車両接近通報音スピーカ装置１００の振動部分を軽量化できる。【００３６】
また、錦糸線１０７が、屈曲点１７１を通って音放射方向に沿う線（図中のＳ）に対して略線対称に設けられている。【００３７】
このような構成にすることにより、例えば錦糸線１０７がボイスコイルボビン１０２の振動と共振して当該錦糸線に過度な力が加わること等によるボイスコイルボビン１０２と錦糸線１０７の接続部の破損を抑制することができ耐環境性を向上させることができる。なお、必要に応じて錦糸線１０７に接着剤等を塗布して補強してもよい。【００３８】
また、シート１０３とダンパ１０６との接着は接着剤を用いてなされている。また、この接着剤には、例えば、アクリル樹脂、シリコーン樹脂、及びエポキシ樹脂からなる群より選択される一種以上の材料を含んで構成されるものを用いることができる。【００３９】
また、図４に示すように、シート１０３と振動板１０４との接着が接着剤１１１を用いてなされ、ボイスコイルボビン１０２には、振動板１０４よりも音放射側とは反対側の位置（すなわちボイスコイル１０１及びダンパ１０６側）に、環状部材１０８が接続されている。本実施例１の環状部材１０８は、紙を用いて帯状に形成され、ボイスコイルボビン１０２の周囲に沿って複数回巻かれている。ボイスコイルボビン１０２に巻かれた環状部材１０８の厚さは、例えば０．４〜０．６ｍｍとすることができる。【００４０】
このような構成にすることにより、振動板１０４を接着する接着剤が環状部材１０８にせき止められて接着位置以外の場所に広がり難くなる。このことから、振動板１０４の接着に必要な量のみを塗布すればよく、接着剤を使用する量を減らすことができる。従って、車両接近通報音スピーカ装置１００の振動する部分を軽くすることができ、再生音圧を高くすることができる。【００４１】
（第２の実施例）
本発明の第２の実施例にかかる車両接近通報音スピーカ装置２００について図５を参照して説明する。車両接近通報音スピーカ装置２００は、第１の実施例にかかる車両接近通報音スピーカ装置１００の環状部材１０８が環状部材２０８に置き換えられたものである。【００４２】
環状部材２０８は、紙を用いて成型された部材である。環状部材２０８は、ボイスコイルボビン１０２の周囲に沿って設けられた環状部２８１と、環状部２８１の音放射側に一端が連なる傾斜部２８２と、を有して形成されている。傾斜部２８２は、環状部２８１から音放射側（矢印Ａ方向）かつダンパ１０６の外縁部１６１側（矢印Ｂ方向）に向かって延在し、傾斜部２８２の他端が振動板１０４のボイスコイル１０１側の端部よりも音放射側に位置するように設けられている。環状部材２０８のボイスコイルボビン１０２から矢印Ｂ方向の長さは、例えば１ｍｍとすることができる。【００４３】
このような構成により、振動板１０４を接着する接着剤１１１が環状部材２０８の傾斜部２８２にせき止められて、ボイスコイル１０１側に広がり難くなる。このことから、振動板１０４の接着に必要な量のみを塗布すればよく、接着剤を使用する量をより少なくすることができる。従って、車両接近通報音スピーカ装置２００の振動する部分を軽くすることができ、再生音圧を高くすることができる。【００４４】
その他、本発明を実施するための最良の構成、方法などは、以上の記載で開示されているが、本発明は、これに限定されるものではない。すなわち、本発明は、主に特定の実施形態に関して図示され、説明されているが、本発明の技術的思想及び目的の範囲から逸脱することなく、前述した実施形態に対し、形状、材質、数量、その他の詳細な構成において、当業者が様々な変形を加えることができる。【００４５】
従って、上記に開示した形状、材質などを限定した記載は、本発明の理解を容易にするために例示的に記載したものであり、本発明を限定するものではない。このため、それらの形状、材質などの限定の一部、もしくは全部の限定を外した部材の名称での記載は、本発明に含まれるものである。
【符号の説明】
【００４６】
１００，２００      車両接近通報音スピーカ装置
１０１              ボイスコイル
１０２              ボイスコイルボビン
１０３              シート
１０４              振動板
１０５              キャップ
１０６              ダンパ
１０７              錦糸線
１０８，２０８      環状部材
１１１              接着剤
【図１】
2015145777.tif 000003
【図２】
2015145777.tif 000004
【図３】
2015145777.tif 000005
【図４】
2015145777.tif 000006
【図５】
2015145777.tif 000007
【国際調査報告】
2015145777.tif 000008
2015145777.tif 000009
2015145777.tif 000010
2015145777.tif 000011